(57)【要約】      （修正有）【課題】ハンドオーバする前に装置間でサービスの情報を共有する技術を提供する。【解決手段】通信装置１０１、１０２は、第１通信方式により他の通信装置と無線通信を行う第１通信手段と、第１通信方式と異なる第２通信方式により前記他の通信装置と無線通信を行う第２通信手段と、前記第１通信手段を用いて前記第２通信手段を介して実行する他の通信装置と連係して動作するサービス実行ために双方の機器に設定が必要な連係サービス設定情報を共有する情報共有手段と、前記連係サービス設定情報と併せて、前記他の通信装置と通信が可能な前記第２通信方式の通信路を設定するための無線通信路設定情報を共有する情報共有手段とを、有する。【選択図】図１１
2015095828.tif 000002
【特許請求の範囲】
【請求項１】
通信装置であって、
第１通信方式により他の通信装置と無線通信を行う第１通信手段と、
第１通信方式と異なる第２通信方式により前記他の通信装置と無線通信を行う第２通信手段と、
前記第２通信手段を介して実行する他の通信装置とのサービスに関するサービス情報と、前記他の通信装置と通信が可能な前記第２通信方式の通信路を設定するための無線設定情報と、を前記第１通信手段を用いて共有する共有手段とを、
有することを特徴とする通信装置。
【請求項２】
前記共有手段は、前記第１通信手段を用いて他の通信装置との間で送受信される、サービス開始要求或いはサービス開始応答のメッセージにより前記サービス情報を共有することを、
特徴とする、請求項１に記載の通信装置。
【請求項３】
前記共有手段は、前記第１通信手段を用いて他の通信装置との間でメモリのアクセスを行うことを、
特徴とする、請求項１に記載の通信装置。
【請求項４】
サービスの選択の有無を判定する手段を有し、
前記共有手段は、前記第１通信手段により前記他の通信装置と接続し、かつ、選択されたサービスがある場合には、前記サービス情報と前記無線設定情報とを併せて共有し、前記第１通信手段により前記他の通信装置と接続し、かつ、選択されたサービスがない場合には、前記無線設定情報をのみを共有することを、
特徴とする、請求項１に記載の通信装置。
【請求項５】
前記第１通信手段は、ＮＦＣ（Ｎｅａｒ  Ｆｉｅｌｄ  Ｃｏｍｍｕｎｉｃａｔｉｏｎ）により通信を行うことを特徴とする請求項１に記載の通信装置。
【請求項６】
前記第２通信手段は、ＩＥＥＥ８０２．１１シリーズに準拠した無線通信により通信を行うことを特徴とする請求項１に記載の通信装置。
【請求項７】
前記無線設定情報は、ＳＳＩＤ、暗号鍵、暗号方式、認証鍵、認証方式、ＭＡＣアドレスの少なくともいずれかが含まれることを特徴とする請求項１に記載の通信装置。
【請求項８】
通信装置であって、
第１通信方式により他の通信装置と無線通信を行う第１通信手段と、
第１通信方式と異なる第２通信方式により前記他の通信装置と無線通信を行う第２通信手段と、
前記他の通信装置と実行する通信サービスに関する情報を共有するための第１レコードと、前記第１レコードが示す通信サービスを実行するための前記第２通信手段による前記他の通信装置との接続を確立するための接続パラメータを共有するための第２レコードと、を関連付けて、前記第１レコードと前記第２レコードとを前記第１通信手段を介して送信する送信手段とを、
有することを特徴とする通信装置。
【請求項９】
第１通信方式により他の通信装置と無線通信を行う第１通信手段と前記第１通信方式と異なる第２通信方式により前記他の通信装置と無線通信を行う第２通信手段とを有する通信装置の制御方法であって、
前記第２通信手段を介して実行する他の通信装置とのサービスに関するサービス情報と、前記他の通信装置と通信が可能な前記第２通信方式の通信路を設定するための無線設定情報と、を前記第１通信手段を用いて共有する共有工程とを、
有することを特徴とする通信装置の制御方法。
【請求項１０】
請求項９に記載の制御方法をコンピュータに実行させるためのプログラム。
【発明の詳細な説明】
【技術分野】
【０００１】
本発明は、通信技術に関する。
【背景技術】
【０００２】
近年、携帯電話機等においては、ＮＦＣ（Ｎｅａｒ  Ｆｉｅｌｄ  Ｃｏｍｍｕｎｉｃａｔｉｏｎ）、ＩｒＤＡ（Ｉｎｆｒａｒｅｄ  Ｄａｔａ  Ａｓｓｏｃｉａｔｉｏｎ）、ＴｒａｎｓｆｅｒＪｅｔ（登録商標）などの近接無線通信が利用され始めている。装置同士を近づけるといった操作をユーザは行うだけで、近接無線通信により装置間でデータの送受信を行うことができる。また、このような近接無線通信から無線ＬＡＮ（ＩＥＥＥ８０２．１１シリーズ）やＢｌｕｅｔｏｏｔｈ（登録商標）等の異なる無線通信方式にハンドオーバする技術がある（特許文献１、非特許文献１）。
【０００３】
また、機器間で実行するサービスのネゴシエーションは、前記ハンドオーバ先の無線通信路の設定、論理アドレッシングの完了後に前記設定した無線通信路を介して実施するのが一般的であった。
【先行技術文献】
【特許文献】
【０００４】
【特許文献１】特開２０１１−１９３４７４号公報
【非特許文献】
【０００５】
【非特許文献１】“Ｃｏｎｎｅｃｔｉｏｎ  Ｈａｎｄｏｖｅｒ  １．２”  Ｔｅｃｈｎｉｃａｌ  Ｓｐｅｃｉｆｉｃａｔｉｏｎ  （ＮＦＣ  Ｆｏｒｕｍ  ２０１０．７．７  発行）
【発明の概要】
【発明が解決しようとする課題】
【０００６】
上述のサービスネゴシエーションでは、サービスの実行可否の確定までに、無線通信路の接続設定、論理アドレッシング、サービスディスカバリの３段階の制御ステップが必要である。
つまり、前記サービスディスカバリ処理が完了するまで、前記機器間で実行するサービスの実行可否が判定出来ない。
このため、対向機器が前記実行対象のサービスの実行可否判定に長い時間を要していた。
本発明は、上記課題を鑑みてなされた発明であって、機器間で実行するサービスの情報を共有することを目的とする。
【課題を解決するための手段】
【０００７】
上記課題を解決するため、本発明の一態様による通信装置は、
第１通信方式により他の通信装置と無線通信を行う第１通信手段と、
第１通信方式と異なる第２通信方式により前記他の通信装置と無線通信を行う第２通信手段と、
前記第２通信手段を介して実行する他の通信装置とのサービスに関するサービス情報と、前記他の通信装置と通信が可能な前記第２通信方式の通信路を設定するための無線設定情報と、を前記第１通信手段を用いて共有する共有手段とを、
有することを特徴とする。
【発明の効果】
【０００８】
本発明によれば、機器間で実行するサービスの情報を共有することができる。
【図面の簡単な説明】
【０００９】
【図１】実施形態に係るシステム構成を例示する図。
【図２】実施形態に係る通信装置１（デジタルカメラ）のハードウェア構成の一例を示す図。
【図３】実施形態に係る通信装置２（プリンタ）のハードウェア構成の一例を示す図。
【図４】実施形態に係る通信装置３（無線ＬＡＮアクセスポイント）のハードウェア構成の一例を示す図。
【図５】実施形態に係る通信装置１（デジタルカメラ）の機能ブロック構成の一例を示す図。
【図６】実施形態に係る通信装置２（プリンタ）の機能ブロック構成の一例を示す図。
【図７】実施形態に係る通信装置３（無線ＬＡＮアクセスポイント）の機能ブロック構成の一例を示す図。
【図８】実施形態における通信装置１（デジタルカメラ）の動作フローを説明する図。
【図９】実施形態における通信装置２（プリンタ）の動作フローを説明する図。
【図１０】第一の実施形態におけるデジタルカメラ、プリンタ間のＤＰＯＦサービスを開始するための通信シーケンスを例示的に説明する図。
【図１１】第二の実施形態におけるデジタルカメラ、プリンタ間のＰｉｃｔｂｒｉｄｇｅサービスを開始するための通信シーケンスを例示的に説明する図。
【図１２】第三の実施形態におけるデジタルカメラ、プリンタ間の新規無線ＬＡＮ通信の接続先でＤＬＮＡ  Ｐｒｉｎｔｉｎｇサービスを開始するための通信シーケンスを例示的に説明する図。
【図１３】第四の実施形態におけるデジタルカメラ、プリンタ間の既存無線ＬＡＮ通信の接続先でＤＬＮＡ  Ｐｒｉｎｔｉｎｇサービスを開始するための通信シーケンスを例示的に説明する図。
【図１４】本実施形態に係る、ＮＦＣを介したサービスネゴシエーション処理用のメッセージ・情報レコードフォーマットの図。
【図１５】ＮＦＣ  Ｆｏｒｕｍ  “Ｃｏｎｎｅｃｔｉｏｎ  Ｈａｎｄｏｖｅｒ  １．２”  Ｔｅｃｈｎｉｃａｌ  Ｓｐｅｃｉｆｉｃａｔｉｏｎにて規定されるハンドオーバ処理用のメッセージ・情報レコードフォーマットの図。
【発明を実施するための形態】
【００１０】
以下、本実施形態に係る通信装置、通信システムについて、図面を参照しながら詳細に説明する。
【００１１】
図１は、以下に説明する本実施形態において想定するシステム１００の機器構成の図である。
【００１２】
１０１〜１０３は本発明に係る通信装置で、本実施形態において、それぞれ１０１はデジタルカメラ、１０２はプリンタ、１０３は無線ＬＡＮアクセスポイントである。
【００１３】
デジタルカメラ１０１とプリンタ１０２は、ＮＦＣ通信路１０４、無線ＬＡＮ直接通信路１０５、或いは前記無線ＬＡＮアクセスポイントを介した、無線ＬＡＮ間接通信路１０５、１０７を用いてお互いに通信が可能である。
【００１４】
続いて、図２はデジタルカメラ１０１のハードウェア構成を示す図である。
【００１５】
デジタルカメラ１０１は、表示部２０１、操作部２０２、記憶部２０３、電源部２０４、撮影部２０５、制御部２０６、ＲＯＭ２０７、ＲＡＭ２０８、無線ＬＡＮ通信部２０９、ＮＦＣ通信部２１０を備える。
【００１６】
表示部２０１は、例えばＬＣＤやＬＥＤにより構成され、視覚で認知可能な情報の出力する機能を有し、アプリケーションに係るＵＩの表示を行う。
【００１７】
操作部２０２は、ユーザが各種入力等を行い、通信装置を操作するための機能を有する。
【００１８】
記憶部２０３は、例えば、ＨＤＤにより構成され、無線通信ネットワーク情報、データ送受信情報、画像データなど各種データを記憶し、管理する。
【００１９】
電源部２０４は、例えばバッテリであり、装置全体を動作させるための電源を保持し、各ハードウェアに電力を供給する。
【００２０】
撮影部２０５は、撮像素子、レンズ等により構成され、写真や動画の撮影を行う。制御部２０６は、例えばＣＰＵ（Ｃｅｎｔｒａｌ  Ｐｒｏｃｅｓｓｉｎｇ  Ｕｎｉｔ）であり、デジタルカメラ１０１の各構成要素の動作を制御する。
【００２１】
ＲＯＭ２０７は、制御命令つまりプログラムを格納し、後述する各種動作は、ＲＯＭ３０７に記憶された制御プログラムを制御部２０６が実行することにより実現される。
【００２２】
ＲＡＭ２０８は、プログラムを実行する際のワークメモリやデータの一時保存などに利用される。２０９は、無線ＬＡＮ通信１０４を行う無線ＬＡＮ通信部である。無線ＬＡＮ通信部２０９は、ＩＥＥＥ８０２．１１シリーズに準拠した無線通信を行う。
【００２３】
なお、本実施例では、無線ＬＡＮ通信部２０９は、ＩＥＥＥ８０２．１１シリーズに準拠した無線通信を行うものとしたが、Ｂｌｕｅｔｏｏｔｈ（登録商標）等の他の通信方式を用いてもよい。
【００２４】
２１０は、ＮＦＣ通信１０３を行うＮＦＣ通信部である。
【００２５】
ＮＦＣ通信部２１０は、ＮＦＣ（Ｎｅａｒ  Ｆｉｅｌｄ  Ｃｏｍｍｕｎｉｃａｔｉｏｎ）に準拠した無線通信を行う。
【００２６】
また、ＮＦＣ通信部２１０は、通信範囲内に通信可能な装置を検出すると自動的にＮＦＣ通信１０３を確立する。
【００２７】
なお、ＮＦＣ通信部２１０は、ＮＦＣに準拠した無線通信を行うものとしたが、無線ＬＡＮ通信部２０９が用いる通信方式より、通信距離が短い通信方式を用いればよい。
【００２８】
また、ＮＦＣ通信部２１０は、無線ＬＡＮ通信部２０９が用いる通信方式より、通信速度が遅い通信方式を用いればよい。
【００２９】
続いて、図３はプリンタ１０２のハードウェア構成を示す図である。
【００３０】
プリンタ１０２は、デジタルカメラ１０１の撮影部２０５の変わりに印刷処理部３１０を備える。
【００３１】
印刷処理部３１０は記憶部３０３に記憶されたイメージデータを印刷する。その他の構成部位については、デジタルカメラ１０１と同一であるため、ここでは記載を省略する。
【００３２】
続いて、図４は無線ＬＡＮアクセスポイント１０３のハードウェア構成を示す図である。
【００３３】
無線アクセスポイント１０３は、前記２つの通信装置とは異なりＮＦＣ通信部を持たない代わりに、有線ＬＡＮ通信部が存在する点、印刷制御部、撮影部が存在しない点以外は、前記２つの通信装置と同一であるため、ここでは記載を省略する。
【００３４】
次に図５〜７を参照して、デジタルカメラ１０１、プリンタ１０２、無線ＬＡＮアクセスポイント１０３の機能ブロック図を説明する。
【００３５】
本実施形態において、デジタルカメラ１０１、プリンタ１０２、無線ＬＡＮアクセスポイントの機能ブロックは、制御プログラムをＣＰＵが実行することにより実現される。なお、デジタルカメラ１０１、プリンタ１０２、無線ＬＡＮアクセスポイントそれぞれＲＯＭ２０７、ＲＯＭ３０７、ＲＯＭ４０６に制御プログラムとして記憶される。デジタルカメラ１０１、プリンタ１０２、無線ＬＡＮアクセスポイントそれぞれの制御部２０６、制御部３０５、制御部４０５によって当該プログラムが実行されることによりその機能が実施される。
【００３６】
なお、本機能ブロックに含まれる一部または全部がハードウェア化されていてもよい。
【００３７】
この場合、各機能ブロックに含まれる一部または全部は、例えばＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）により構成される。
【００３８】
図５はデジタルカメラ１０１の機能ブロック図（５００）である。デジタルカメラ１０１は、無線ＬＡＮ通信制御部５１０、ＮＦＣ通信制御部５２０、サービス実行部５３０を備える。
【００３９】
無線ＬＡＮ通信制御部５１０は、無線ＬＡＮ通信部２０９を介した無線ＬＡＮ通信を制御する処理部である。また無線ＬＡＮ通信制御部５１０は、無線ＬＡＮの端末として動作するＳｔａｔｉｏｎ機能と、アクセスポイントとして動作するＡＰ機能を備える。
【００４０】
ＮＦＣ通信制御部５２０はＮＦＣ通信部２１０を介したＮＦＣ通信を制御する処理部である。サービス実行部５３０は、デジタルカメラ１０１が無線ＬＡＮ通信制御部５１０を用いて実行できる外部機器のサービス情報を管理し、サービスを実行する処理部である。
【００４１】
サービス実行部５３０では、サービスの識別子やそれに対応するサービスの実行手順、サービスのオプション情報などをサービス情報として管理する。
【００４２】
なお本実施例のデジタルカメラ１０１は印刷サービスとして「ＤＬＮＡ  Ｐｒｉｎｔｉｎｇ」、「Ｐｉｃｔｂｒｉｄｇｅ」、「ＤＰＯＦ  Ｐｒｉｎｔｉｎｇ」という３種類のダイレクト印刷サービスが実行可能であるものとする。
【００４３】
図６はプリンタ１０２の機能ブロック図（６００）である。プリンタ１０２は、無線ＬＡＮ通信制御部６１０、ＮＦＣ通信制御部６２０、サービス制御部６３０、印刷制御部６４０を備える。
【００４４】
無線ＬＡＮ通信制御部６１０は、無線ＬＡＮ通信部３０８を介した無線ＬＡＮ通信部を制御する処理部である。
【００４５】
また無線ＬＡＮ通信制御部６１０は、無線ＬＡＮの端末として動作するＳｔａｔｉｏｎ機能と、アクセスポイントとして動作するＡＰ機能を備える。
【００４６】
ＮＦＣ通信制御部６２０はＮＦＣ通信部３０９を介したＮＦＣ通信を制御する処理部である。
【００４７】
サービス制御部６３０は、プリンタ１０２が無線ＬＡＮ通信制御部６１０を介して外部機器に提供できるサービスの情報を管理し、サービスを実行する処理部である。
【００４８】
サービス制御部６３０では、サービス（通信サービス）の識別子やそれに対応するサービスの実行手順、サービスのオプション情報などをサービス情報として管理する。
【００４９】
なお本実施例のプリンタ１０２は「ＤＬＮＡ  Ｐｒｉｎｔｉｎｇ」、「Ｐｉｃｔｂｒｉｄｇｅ」、「ＤＰＯＦ  Ｐｒｉｎｔｉｎｇ」という３種類のダイレクト印刷サービスが実行可能であるものとする。
【００５０】
印刷制御部６４０は、印刷処理部３１０による印刷処理を制御する機能部である。サービス制御部６３０は外部機器からの要求に応じて印刷制御部６４０を制御し、外部機器から受信した印刷データを印刷する事が出来る。
【００５１】
図７は無線ＬＡＮアクセスポイント１０３の機能ブロック図（７００）である。無線ＬＡＮアクセスポイント１０３は、無線ＬＡＮ通信制御部７１０、有線ＬＡＮ通信制御部７２０、ＩＰアドレス割当て制御部７３０を備える。
【００５２】
図１５は、ＮＦＣ  Ｆｏｒｕｍ  “Ｃｏｎｎｅｃｔｉｏｎ  Ｈａｎｄｏｖｅｒ  １．２”  Ｔｅｃｈｎｉｃａｌ  Ｓｐｅｃｉｆｉｃａｔｉｏｎにて規定されるハンドオーバ処理用のメッセージ及び、メッセージを構成する情報レコードフォーマットである。
【００５３】
ハンドオーバリクエストメッセージ（Ｍ１５０１）は、ハンドオーバリクエストレコード（Ｒ１５０１）を先頭に、ＮＤＥＦレコードが後続のレコードとしてマッピングされている。ハンドオーバリクエストレコード（Ｒ１５０１）には、参照するＮＤＥＦレコードを指定するための“ＡＬＴＥＲＮＡＴＩＶＥ＿ＣＡＲＲＩＥＲ＿ＲＥＣＯＲＤ”が含まれる。ハンドオーバセレクトメッセージ（Ｍ１５０２）は、ハンドオーバセレクトレコード（Ｒ１５０２）を先頭レコードに、参照対象のレコードであるＮＤＥＦレコードが後続のレコードとしてマッピングされている。ハンドオーバセレクトレコード（Ｒ１５０２）には、参照するＮＤＥＦレコードを指定するための“ＡＬＴＥＲＮＡＴＩＶＥ＿ＣＡＲＲＩＥＲ＿ＲＥＣＯＲＤ”が含まれる。
【００５４】
無線ＬＡＮ設定の情報の実体は、参照先ＮＤＥＦレコードに格納され、“ＣＡＲＲＩＥＲ＿ＤＡＴＡ＿ＲＥＦＥＲＥＮＣＥ”（Ｒ１５０４）には、前記参照先ＮＤＥＦレコードのポインタ情報が格納されている。
【００５５】
また、追加で必要な各種設定情報に関しても、情報の実体は、参照先ＮＤＥＦレコードに格納され、“ＡＵＸＩＬＡＲＹ＿ＤＡＴＡ＿ＲＥＦＥＲＥＮＣＥ”（Ｒ１５０５）には、前記参照先ＮＤＥＦレコードのポインタ情報が格納されている。
【００５６】
図１４は、本案の実施形態で利用するサービス開始処理用のメッセージ及び、メッセージを構成する情報レコードフォーマットである。
【００５７】
サービス開始要求メッセージ（Ｍ１４０１）、は、サービス要求レコード（Ｒ１４０１）を先頭レコードに、ＮＤＥＦレコードが後続のレコードとしてマッピングされている。サービス要求レコード（Ｒ１４０１）には、参照するＮＤＥＦレコードを指定するための “ＡＬＴＥＲＮＡＴＩＶＥ＿ＳＥＲＶＩＣＥ＿ＲＥＣＯＲＤ”（Ｒ１４０３）が含まれる。サービス開始応答メッセージ（Ｍ１４０２）は、サービス応答レコード（Ｒ１４０２）を先頭レコードに、ＮＤＥＦレコードが後続のレコードとしてマッピングされている。サービス応答レコード（Ｒ１４０２）には、には、参照するＮＤＥＦレコードを指定するための “ＡＬＴＥＲＮＡＴＩＶＥ＿ＳＥＲＶＩＣＥ＿ＲＥＣＯＲＤ”（Ｒ１４０３）が含まれる。
【００５８】
サービス関連の設定の情報の実体は、参照先ＮＤＥＦレコードに格納され、“ＳＥＲＶＩＣＥ＿ＤＡＴＡ＿ＲＥＦＥＲＥＮＣＥ”（Ｒ１４０４）には、前記参照先ＮＤＥＦレコードのポインタ情報が格納されている。
【００５９】
また、追加で必要な各種設定情報に関しても、情報の実体は、参照先ＮＤＥＦレコードに格納され、“ＡＵＸＩＬＡＲＹ＿ＤＡＴＡ＿ＲＥＦＥＲＥＮＣＥ”（Ｒ１４０５）には、前記参照先ＮＤＥＦレコードのポインタ情報が格納されている。
【００６０】
本実施形態では、追加で必要な各種設定情報として、サービスの実行の際に利用する無線ＬＡＮ通信路の設定情報を、“ＡＵＸＩＬＡＲＹ＿ＤＡＴＡ＿ＲＥＦＥＲＥＮＣＥ”（Ｒ１４０５）に格納する。また、ＡＵＸＩＬＡＲＹ＿ＤＡＴＡ＿ＲＥＦＥＲＥＮＣＥに “ＣＡＲＲＩＥＲ＿ＤＡＴＡ＿ＲＥＦＥＲＥＮＣＥ”（Ｒ１５０４）と同一の情報を格納する。また、無線ＬＡＮ設定情報の実体は参照先ＮＤＥＦレコードに格納している。なお、無線ＬＡＮ通信路の設定情報（無線設定情報）は、ＮＦＣとは異なり、接続を希望する通信方式により接続するためにその接続に必要な接続パラメータである。なお、無線ＬＡＮ通信路の設定情報には、ＳＳＩＤ、暗号鍵、暗号方式、認証鍵、認証方式、Ｐａｓｓｐｈｒａｓｅ、プリンタ１０２のＭＡＣアドレスの全てもしくは少なくともいずれか含まれる。
【００６１】
上述の構成を有する通信システムの動作ついて説明を行う
（第一の実施形態）
図８、図９のフローチャートと、図１０のシーケンスチャートを参照して、第一の実施形態におけるデジタルカメラ１０１およびプリンタ１０２間で、無線ＬＡＮＰ２Ｐ通信路を介した「ＤＰＯＦ  Ｐｒｉｎｔｉｎｇ」動作手順について説明する。
【００６２】
本実施形態のデジタルカメラ１０１は、事前のユーザ操作等により、ＤＰＯＦ（Ｄｉｇｉｔａｌ  Ｐｒｉｎｔ  Ｏｒｄｅｒ  ｆｏｒｍａｔ）のプリント指示設定されており、格納画像の印刷サービスが開始済み（Ｓ１００１）である。
【００６３】
前記デジタルカメラ１０１のＮＦＣ通信制御部５２０は、プリンタ１０２のＮＦＣ通信部３０９の近接を検知すると、プリンタ１０２との間でＮＦＣによる通信を確立する（Ｓ８０１、Ｓ９０１、Ｓ１００２）。
【００６４】
次に、前記デジタルカメラ１０１のサービス実行部５２０が、既に実行するサービスの決定の有無の確認（Ｓ８０２）を行う。
【００６５】
未決定の場合は、既存のＮＦＣ  Ｆｏｒｕｍ規定のＣｏｎｎｅｃｔｉｏｎ  Ｈａｎｄｏｖｅｒ規格の制御を行うためにハンドオーバリクエストメッセージ（Ｍ１５０１）を送信後、本案のデジタルカメラ１０１の制御処理工程を終了し、前記既存の制御を実施する。
【００６６】
本実施形態においては、前記ＤＰＯＦを用いたＰｒｉｎｔｉｎｇサービスが選択されているので、実行対象のサービスのステータス（サービス種別、利用するサービスの名、サービス実行対象オブジェクトの参照先情報、サービスを実施するための機能ブロックの稼働状態等）を、前記サービス開始要求メッセージ（Ｍ１４０１）を構成する各レコードの該当箇所にステータス情報としてセットする（Ｓ８０３）。
【００６７】
本実施形態では、実施するステータスの例としては、
サービス種別：Ｐｒｉｎｔｉｎｇ、利用サービス名：ＤＰＯＦ  Ｐｒｉｎｔｉｎｇ、
サービス実行対象オブジェクト：ｈｔｔｐ：／／ｘｘｘｘ−ｙｙｙｙ−ｚｚ／Ｐｒｉｎｔ＿ｏｒｄｅｒ
がセットされると共に、前記“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｅｄ（稼働中）をセットしている。
【００６８】
また、前記サービスを実施する無線ＬＡＮ通信路の設定情報として、要求元のデジタルカメラ１０１が無線ＬＡＮのＡＰモードで動作する直接接続で、自装置のＩＰアドレスを、１９２．１６８．０．ｘｘを利用したい旨を前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）に格納している。
【００６９】
前記ステータス情報のセット完了後、前記デジタルカメラ１０１のＮＦＣ通信制御部５２０は、前記サービス開始要求メッセージ（Ｍ１４０１）をプリンタ１０２に対して送信（Ｓ８０４、Ｓ１００３）する。
【００７０】
次に、前記前記サービス開始要求メッセージ（Ｍ１４０１）を受信（Ｓ９０２、Ｓ１００３）したプリンタ１０２は、当該メッセージにて指定されたサービス、本実施形態ではＤＰＯＦを用いたＰｒｉｎｔｉｎｇサービスが実行可能かの判定（Ｓ９０３）を行う。
【００７１】
実行可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１００４）後、本案のプリンタの制御処理工程を終了する。
【００７２】
本実施形態では、実行可能であると判定されるので、前記指定されたサービス、本実施形態ではＤＰＯＦを用いたＰｒｉｎｔｉｎｇサービスが、自装置（プリンタ）側で起動済みであるかの判定（Ｓ９０４）を実施する。
【００７３】
起動済みの場合は、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｅｄ（稼働中）をセット（Ｓ９０６）する。
【００７４】
本実施形態では、起動済みでないため、ＤＰＯＦを用いたＰｒｉｎｔｉｎｇサービスの起動を開始すると共に、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｉｎｇ（起動中）をセット（Ｓ９０５）する。
【００７５】
次に、プリンタ１０２は、自装置内の無線ＬＡＮ通信部３０８が、既に無線ＬＡＮ通信路を設定済みであるか否かの判定（Ｓ９０７）を行う。
【００７６】
本実施形態では設定済みでないので、前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）内に格納されている、“ＣＡＲＲＩＥＲ＿ＤＡＴＡ＿ＲＥＦＥＲＥＮＣＥ”（Ｒ１５０４）のインデックスで指定される無線ＬＡＮ設定情報の実体を格納している参照先ＮＤＥＦレコードから設定情報を取得し、自装置の無線ＬＡＮ通信路の新規接続先として設定（Ｓ９０９）すると共に、相手装置に通知する接続先無線ＬＡＮ設定情報としてセットする。
【００７７】
設定済みの場合には、前記新規接続先への無線ＬＡＮ通信路の設定（Ｓ９０９）を実施し、前記実行中のサービスがある場合には、現在設定済みの通信路で対向のデジカメ１０１と通信可能であるかの判定（Ｓ９０８）を行う。
【００７８】
前記通信可能であるかの判定方法としては、本実施形態では、前記無線ＬＡＮ設定情報の付加パラメータとして対向機器から通知されるＭＡＣアドレスを用いた、自装置内のＡＲＰテーブルの登録状態の確認を行う。また、通知されるＵＵＩＤを用いた既存無線ＬＡＮ通信路に対してのサービスディスカバリ処理を用いる。
【００７９】
前記判定の結果対向機器と通信可能であると判定された場合には、既存の無線ＬＡＮ通信路の接続先として設定（Ｓ９１０）し、通信可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１００４）後、本案のプリンタ１０２の制御処理工程を終了する。
【００８０】
前記新規無線ＬＡＮ通信路の設定（Ｓ９０９）の完了、既存無線ＬＡＮ通信路での通信か可能であることが確認された（Ｓ９０８、Ｓ９１０）場合、相手機器への論理アドレスの割当ての可否を判定（Ｓ９１１）する。
【００８１】
前記論理アドレスの割当ての可否を判定方法としては、本実施形態では、前記無線ＬＡＮ上でのＤＨＣＰサーバの稼働の有無や、無線ＬＡＮ通信路の設定種別（Ｗｉ−Ｆｉ  Ｄｉｒｅｃｔ  ＮＦＣ、Ｗｉ−Ｆｉ  Ｐｒｏｔｅｃｔｅｄ  Ｓｅｔｕｐ  ＮＦＣであるか等）を判断基準に用いる。
【００８２】
前記論理アドレスの割当て可と判定した場合には、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されている“ＡＵＸＩＡＲＹ＿ＤＡＴＡ＿ＲＥＦＥＲＥＮＣＥ”に付与ＩＰアドレス、自装置ＩＰアドレス等の論理アドレス情報を、ＮＤＥＦペイロードと併せてセット（Ｓ９１２）する。
【００８３】
本実施形態では、デジカメ側が無線ＬＡＮのＡＰであり、自装置のＩＰアドレスを設定済みであるため前記割当て不可と判定し、割当て用論理アドレス情報セットせず、対向装置のＩＰアドレス体系に併せて自装置用のＩＰアドレス（１９２．１６８．０．ｙｙ）をセットする。
【００８４】
この後に、成功（サービスが実行可能である旨を通知する）のステータスをセットしたサービス開始応答メッセージ（Ｍ１４０２）を前記デジタルカメラ１０１に返送（Ｓ９１３、Ｓ１００４）後、該当する無線ＬＡＮＳＴＡモードでの起動（Ｓ１００５）とサービスの起動（Ｓ１００６）を実施した後本案のプリンタ１０２の制御処理工程を終了する。
【００８５】
次にデジタルカメラ１０１は、前記サービス応答メッセージ（Ｍ１４０２）を受信（Ｓ８０５、Ｓ１００３）した後、前記サービス応答メッセージの成功／失敗ステータスに従って、サービスの実施可否を判定（Ｓ８０６）する。
【００８６】
失敗ステータスを受け取った場合は、本案デジタルカメラ１０１の制御処理工程を終了する。
【００８７】
成功ステータスを受け取った場合には、無線ＬＡＮ通信路接続先変更の要否の判定（Ｓ８０７）を行う。
【００８８】
本実施形態においては、前記成功ステータスの受信時点では無線ＬＡＮ通信路接続は実施されていないので、前記サービス応答メッセージ内の無線ＬＡＮ設定情報に従ってデジタルカメラ１０１がＡＰモードで起動（Ｓ１００５）する。
【００８９】
次に、無線ＬＡＮ接続で利用する論理アドレス情報の通知の有無の確認（Ｓ８０９）を行う。
【００９０】
本実施形態においては、デジタルカメラ１０１側が指定した論理アドレス体系で、且つ自装置に割り当てられたアドレスと異なる論理アドレスを、プリンタのアドレスと通知されているので、論理アドレスの通知ありと判定し、当該アドレスを宛先の論理アドレスとして設定（Ｓ８１０）する。
【００９１】
また、論理アドレスの通知がない場合には、無線ＬＡＮ通信設定後の論理アドレッシング制御によって論理アドレスを入手するためのサービス（ＤＨＣＰクライアント、ＡＵＴＯＩＰ等）の起動を行う。
【００９２】
上記処理を行って後、本案デジタルカメラ１０１の制御処理工程を終了する。
【００９３】
本実施形態では、前記デジタルカメラ１０１がＡＰモードで起動（Ｓ１００５）、前記プリンタ１０２がＳＴＡモードで起動（Ｓ１００５）して無線ＬＡＮ通信路が設定（Ｓ１００６）された後、プリンタ１０２側のトリガで「ＤＰＯＦ  Ｐｒｉｎｔｉｎｇ」サービス（Ｓ１００８〜Ｓ１０１０）が実行される。
【００９４】
尚、上記実施形態では、デジタルカメラ１０１からプリンタ１０２に送信するサービス開始要求メッセージには１つの無線ＬＡＮ通信路設定情報のみを含んでいるが、本発明はこれを制限するものでは無く、複数の設定情報が含まれても構わない。
【００９５】
また、プリンタ１０２側に無線ＬＡＮ通信路の設定情報を確定して欲しい場合には、前記サービス開始要求メッセージに、無線ＬＡＮ通信路の設定情報を含めず（ＮＵＬＬ情報を設定しても良い）に送信しても構わない。
【００９６】
これらの場合、実際の接続に利用する無線ＬＡＮ通信路の設定情報は、プリンタ１０２からデジタルカメラ１０１に返送するサービス開始応答メッセージを用いて通知され、装置間で共有するので、無線ＬＡＮ通信路と論理アドレスの設定出来る。
【００９７】
以上説明したように、本案制御方式を用いれば、サービス開始要求メッセージにサービスを実行する無線ＬＡＮ通信路用の設定情報を付加するので、ハンドオーバ先の通信路の設定情報を共有することができる。
【００９８】
また、サービス開始要求メッセージ、サービス応答メッセージの双方に該当するサービスを実行するための機器内の機能ブロックの稼働状況を付加して通知するので、サービス実行の可否、開始までの待ち時間の有無等の情報を共有出来る。
【００９９】
更に、前記機器内の機能ブロックの稼働状況として、機器の動作電力のモードの情報（省電力モード、バッテリモード、商用電力モード等）の情報を共有しても、同様にサービス実行の可否、開始までの待ち時間の有無等の情報を共有出来る。
【０１００】
従って、「ＤＰＯＦ  Ｐｒｉｎｔｉｎｇ」サービスが実現可能なことが確認できた際に、利用する無線ＬＡＮやＢｌｕｅｔｏｏｔｈ（登録商標）へのハンドオーバし、「ＤＰＯＦ  Ｐｒｉｎｔｉｎｇ」サービスを実行することができる。
【０１０１】
（第二の実施形態）
図８、図９のフローチャートと、図１１のシーケンスチャートを参照して、第一の実施形態におけるデジタルカメラ１０１およびプリンタ１０２間で、無線ＬＡＮＰ２Ｐ通信路を介した「Ｐｉｃｔｂｒｉｄｇｅ  Ｐｒｉｎｔｉｎｇ」動作手順について説明する。
【０１０２】
本実施形態のデジタルカメラ１０１は、デフォルトの起動要求対象のサービスとして、Ｐｉｃｔｂｒｉｄｇｅを用いたＰｒｉｎｔｉｎｇサービスが設定されている。
【０１０３】
前記デジタルカメラ１０１のＮＦＣ通信制御部５２０は、プリンタ１０２のＮＦＣ通信部３０９の近接を検知すると、プリンタ１０２との間でＮＦＣによる通信を確立する（Ｓ８０１、Ｓ９０１、Ｓ１１０１）。
【０１０４】
次に、前記デジタルカメラ１０１のサービス実行部５２０が、既に実行するサービスの決定の有無の確認（Ｓ８０２）を行う。
【０１０５】
未決定の場合は、既存のＮＦＣ  Ｆｏｒｕｍ規定のＣｏｎｎｅｃｔｉｏｎ  Ｈａｎｄｏｖｅｒ規格の制御を行うためにハンドオーバリクエストメッセージ（Ｍ１５０１）を送信後、本案のデジタルカメラ１０１の制御処理工程を終了し、前記既存の制御を実施する。
【０１０６】
本実施形態においては、前記デフォルトの起動要求対象のサービスとして、Ｐｉｃｔｂｒｉｄｇｅを用いたＰｒｉｎｔｉｎｇサービスが設定されているので、実行対象のサービスのステータス（サービス種別、利用するサービスの名、サービス実行対象オブジェクトの参照先情報、サービスを実施するための機能ブロックの稼働状態等）を、前記サービス開始要求メッセージ（Ｍ１４０１）を構成する各レコードの該当箇所にステータス情報としてセットする（Ｓ８０３）。
【０１０７】
本実施形態では、実施するステータスの例としては、サービス種別：Ｐｒｉｎｔｉｎｇ、
利用サービス名：Ｐｉｃｔｂｒｉｄｇｅ  Ｐｒｉｎｔｉｎｇ、
サービス実行対象オブジェクト：ｈｔｔｐ：／／ｘｘｘｘ−ｙｙｙｙ−ｚｚ／Ｐｒｉｎｔ＿ｏｒｄｅｒ
がセットされると共に、前記“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｉｎｇ（起動中）をセットしている。
【０１０８】
また、前記サービスを実施する無線ＬＡＮ通信路の設定情報として、要求元のデジタルカメラ１０１が無線ＬＡＮのＡＰモードで動作する直接接続で、自装置のＩＰアドレスを、１９２．１６８．０．ｘｘを利用したい旨を前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）に格納している。
【０１０９】
前記ステータス情報のセット完了後、前記デジタルカメラ１０１のＮＦＣ通信制御部５２０は、前記サービス開始要求メッセージ（Ｍ１４０１）をプリンタ１０２に対して送信（Ｓ８０４、Ｓ１１０２）する。
【０１１０】
次に、前記前記サービス開始要求メッセージ（Ｍ１４０１）を受信（Ｓ９０２、Ｓ１１０２）したプリンタ１０２は、当該メッセージにて指定されたサービス、本実施形態ではＰｉｃｔｂｒｉｄｇｅを用いたＰｒｉｎｔｉｎｇサービスが実行可能かの判定（Ｓ９０３）を行う。
【０１１１】
実行可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１１０３）後、本案のプリンタの制御処理工程を終了する。
【０１１２】
本実施形態では、実行可能であると判定されるので、前記指定されたサービス、本実施形態ではＰｉｃｔｂｒｉｄｇｅ用いたＰｒｉｎｔｉｎｇサービスが、自装置（プリンタ）側で起動済みであるかの判定（Ｓ９０４）を実施する。
【０１１３】
起動済みの場合は、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｅｄ（稼働中）をセット（Ｓ９０６）する。
【０１１４】
本実施形態では、起動済みでないため、Ｐｉｃｔｂｒｉｄｇｅを用いたＰｒｉｎｔｉｎｇサービスの起動を開始すると共に、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｉｎｇ（起動中）をセット（Ｓ９０５）する。
【０１１５】
次に、プリンタ１０２は、自装置内の無線ＬＡＮ通信部３０８が、既に無線ＬＡＮ通信路を設定済みであるか否かの判定（Ｓ９０７）を行う。
【０１１６】
本実施形態では設定済みでないので、前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）内に格納されている、“ＣＡＲＲＩＥＲ＿ＤＡＴＡ＿ＲＥＦＥＲＥＮＣＥ”（Ｒ１５０４）のインデックスで指定される無線ＬＡＮ設定情報の実体を格納している参照先ＮＤＥＦレコードから設定情報を取得し、自装置の無線ＬＡＮ通信路の新規接続先として設定すると共に、相手装置に通知する接続先無線ＬＡＮ設定情報としてセット（Ｓ９０９）する。
【０１１７】
設定済みの場合には、前記新規接続先への無線ＬＡＮ通信路の設定（Ｓ９０９）を実施し、前記実行中のサービスがある場合には、現在設定済みの通信路で対向のデジカメ１０１と通信可能であるかの判定（Ｓ９０８）を行う。
【０１１８】
前記通信可能であるかの判定方法としては、本実施形態では、前記無線ＬＡＮ設定情報の付加パラメータとして対向機器から通知されるＭＡＣアドレスを用いた、自装置内のＡＲＰテーブルの登録状態の確認や、通知されるＵＵＩＤを用いた既存無線ＬＡＮ通信路に対してのサービスディスカバリ処理を用いる。
【０１１９】
前記判定の結果対向機器と通信可能であると判定された場合には、既存の無線ＬＡＮ通信路の接続先として設定（Ｓ９１０）し、通信可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１１０３）後、本案のプリンタ１０２の制御処理工程を終了する。
【０１２０】
前記新規無線ＬＡＮ通信路の設定（Ｓ９０９）の完了、既存無線ＬＡＮ通信路での通信か可能であることが確認された（Ｓ９０８、Ｓ９１０）場合、相手機器への論理アドレスの割当ての可否を判定（Ｓ９１１）する。
【０１２１】
前記論理アドレスの割当ての可否を判定方法としては、本実施形態では、前記無線ＬＡＮ上でのＤＨＣＰサーバの稼働の有無や、無線ＬＡＮ通信路の設定種別（Ｗｉ−Ｆｉ  Ｄｉｒｅｃｔ  ＮＦＣ、Ｗｉ−Ｆｉ  Ｐｒｏｔｅｃｔｅｄ  Ｓｅｔｕｐ  ＮＦＣであるか等）を判断基準に用いる。
【０１２２】
前記論理アドレスの割当て可と判定した場合には、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されている“ＡＵＸＩＡＲＹ＿ＤＡＴＡ＿ＲＥＦＥＲＥＮＣＥ”に付与ＩＰアドレス、自装置ＩＰアドレス等の論理アドレス情報を、ＮＤＥＦペイロードと併せてセット（Ｓ９１２）する。
【０１２３】
本実施形態でも、デジカメ側が無線ＬＡＮのＡＰであり、自装置のＩＰアドレスを設定済みであるため前記割当て不可と判定し、割当て用論理アドレス情報セットせず、対向装置のＩＰアドレス体系に併せて自装置用のＩＰアドレス（１９２．１６８．０．ｙｙ）をセットする。
【０１２４】
この後に、成功（サービスが実行可能である旨を通知する）のステータスをセットしたサービス開始応答メッセージ（Ｍ１４０２）を前記デジタルカメラ１０１に返送（Ｓ９１３、Ｓ１１０３）後、該当する無線ＬＡＮＳＴＡモードでの起動（Ｓ１１０４）とサービスの起動（Ｓ１１０５）を実施した後本案のプリンタ１０２の制御処理工程を終了する。
【０１２５】
次にデジタルカメラ１０１は、前記サービス応答メッセージ（Ｍ１４０２）を受信（Ｓ８０５、Ｓ１１０３）した後、前記サービス応答メッセージの成功／失敗ステータスに従って、サービスの実施可否を判定（Ｓ８０６）する。
【０１２６】
失敗ステータスを受け取った場合は、本案デジタルカメラ１０１の制御処理工程を終了する。
【０１２７】
成功ステータスを受け取った場合には、無線ＬＡＮ通信路接続先変更の要否の判定（Ｓ８０７）を行う。
【０１２８】
本実施形態でも、前記成功ステータスの受信時点では無線ＬＡＮ通信路接続は実施されていないので、前記サービス応答メッセージ内の無線ＬＡＮ設定情報に従ってデジタルカメラ１０１がＡＰモードで起動（Ｓ１１０４）する。
【０１２９】
次に、無線ＬＡＮ接続で利用する論理アドレス情報の通知の有無の確認（Ｓ８０９）を行う。
【０１３０】
本実施形態においては、デジタルカメラ１０１側が指定した論理アドレス体系で、且つ自装置に割り当てられたアドレスと異なる論理アドレスを、プリンタのアドレスと通知されているので、論理アドレスの通知ありと判定し、当該アドレスを宛先の論理アドレスとして設定（Ｓ８１０）する。
【０１３１】
また、論理アドレスの通知がない場合には、無線ＬＡＮ通信設定後の論理アドレッシング制御によって論理アドレスを入手するためのサービス（ＤＨＣＰクライアント、ＡＵＴＯＩＰ等）の起動を行う。
【０１３２】
上記処理を行って後、本案デジタルカメラ１０１の制御処理工程を終了する。
【０１３３】
本実施形態では、前記デジタルカメラ１０１がＡＰモードで起動（Ｓ１１０４）、前記プリンタ１０２がＳＴＡモードで起動（Ｓ１１０４）して無線ＬＡＮ通信路が設定（Ｓ１１０６）された後、プリンタ１０２側のトリガで「Ｐｉｃｔｂｒｉｄｇｅ  Ｐｒｉｎｔｉｎｇ」サービス（Ｓ１１０７〜Ｓ１１０９）が実行される。
【０１３４】
尚、上記実施形態でも、デジタルカメラ１０１からプリンタ１０２に送信するサービス開始要求メッセージには１つの無線ＬＡＮ通信路設定情報のみを含んでいるが、本発明はこれを制限するものでは無く、複数の設定情報が含まれても構わない。
【０１３５】
また、プリンタ１０２側に無線ＬＡＮ通信路の設定情報を確定して欲しい場合には、前記サービス開始要求メッセージに、無線ＬＡＮ通信路の設定情報を含めず（ＮＵＬＬ情報を設定しても良い）に送信しても構わない。
【０１３６】
これらの場合も、実際の接続に利用する無線ＬＡＮ通信路の設定情報は、プリンタ１０２からデジタルカメラ１０１に返送するサービス開始応答メッセージを用いて通知され、装置間で共有するので、無線ＬＡＮ通信路と論理アドレスの設定出来る。
【０１３７】
以上説明したように、本案制御方式を用いれば、サービス開始要求メッセージにサービスを実行する無線ＬＡＮ通信路用の設定情報を付加するので、ハンドオーバ先の通信路の設定情報を共有することができる。
【０１３８】
また、サービス開始要求メッセージ、サービス応答メッセージの双方に該当するサービスを実行するための機器内の機能ブロックの稼働状況を付加して通知するので、サービス実行の可否、開始までの待ち時間の有無等の情報を共有出来る。
【０１３９】
更に、前記機器内の機能ブロックの稼働状況として、機器の動作電力のモードの情報（省電力モード、バッテリモード、商用電力モード等）の情報を共有しても、同様にサービス実行の可否、開始までの待ち時間の有無等の情報を共有出来る。
【０１４０】
本実施形態では、本案の制御方式を利用すれば、「Ｐｉｃｔｂｒｉｄｇｅ  Ｐｒｉｎｔｉｎｇ」サービスが実現可能なことが確認できた際に、利用する無線ＬＡＮやＢｌｕｅｔｏｏｔｈ（登録商標）へのハンドオーバし、「Ｐｉｃｔｂｒｉｄｇｅ  Ｐｒｉｎｔｉｎｇ」サービスを実行することができる。
【０１４１】
（第三の実施形態）
図８、図９のフローチャートと、図１２のシーケンスチャートを参照して、第一の実施形態におけるデジタルカメラ１０１およびプリンタ１０２間で、無線ＬＡＮ  ＡＰ１０３を介して新たに形成する無線ＬＡＮインフラストラクチャ通信路を介した「ＤＬＮＡ  Ｐｒｉｎｔｉｎｇ」動作手順について説明する。
【０１４２】
本実施形態のデジタルカメラ１０１は、デフォルトの起動要求対象のサービスとして、ＤＬＮＡを用いたＰｒｉｎｔｉｎｇサービスが設定されている。
【０１４３】
次に、前記デジタルカメラ１０１のサービス実行部５２０が、既に実行するサービスの決定の有無の確認（Ｓ８０２）を行う。
【０１４４】
未決定の場合は、既存のＮＦＣ  Ｆｏｒｕｍ規定のＣｏｎｎｅｃｔｉｏｎ  Ｈａｎｄｏｖｅｒ規格の制御を行うためにハンドオーバリクエストメッセージ（Ｍ１５０１）を送信後、本案のデジタルカメラ１０１の制御処理工程を終了し、前記既存の制御を実施する。
【０１４５】
本実施形態においては、前記デフォルトの起動要求対象のサービスとして、ＤＬＮＡを用いたＰｒｉｎｔｉｎｇサービスが設定されているので、実行対象のサービスのステータス（サービス種別、利用するサービスの名、サービス実行対象オブジェクトの参照先情報、サービスを実施するための機能ブロックの稼働状態等）を、前記サービス開始要求メッセージ（Ｍ１４０１）を構成する各レコードの該当箇所にステータス情報としてセットする（Ｓ８０３）。
【０１４６】
本実施形態では、実施するステータスの例としては、
サービス種別：Ｐｒｉｎｔｉｎｇ
利用サービス名：ＤＬＮＡ  Ｐｒｉｎｔｉｎｇ、サービス実行対象オブジェクト：ｈｔｔｐ：／／ｘｘｘｘ−ｙｙｙｙ−ｚｚ／Ｐｒｉｎｔ＿ｏｒｄｅｒ
がセットされると共に、前記“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｉｎｇ（起動中）をセットしている。
【０１４７】
また、前記サービスを実施する無線ＬＡＮ通信路の設定情報として、要求元のデジタルカメラ１０１が無線ＬＡＮのＳＴＡモード動作のみを指定し、無線接続ＬＡＮ通信路用の接続情報は、プリンタ１０２側のからの指定に従う旨を前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）に格納している。
【０１４８】
また、前記サービスを実施する無線ＬＡＮ通信路の設定情報として、要求元のデジタルカメラ１０１が無線ＬＡＮのＳＴＡモードで動作する接続形態で、自装置の要望アドレスではなく、他装置から付与されるＩＰアドレスを利用したい旨も前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）に格納している。
【０１４９】
前記ステータス情報のセット完了後、前記デジタルカメラ１０１のＮＦＣ通信制御部５２０は、前記サービス開始要求メッセージ（Ｍ１４０１）をプリンタ１０２に対して送信（Ｓ８０４、Ｓ１２０２）する。
【０１５０】
次に、前記前記サービス開始要求メッセージ（Ｍ１４０１）を受信（Ｓ９０２、Ｓ１２０２）したプリンタ１０２は、当該メッセージにて指定されたサービス、本実施形態ではＤＬＮＡ  Ｐｒｉｎｔｉｎｇを用いたＰｒｉｎｔｉｎｇサービスが実行可能かの判定（Ｓ９０３）を行う。
【０１５１】
実行可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１２０３）後、本案のプリンタの制御処理工程を終了する。
【０１５２】
本実施形態では、実行可能であると判定されるので、前記指定されたサービス、本実施形態ではＤＬＮＡ  Ｐｒｉｎｔｉｎｇ用いたＰｒｉｎｔｉｎｇサービスが、自装置（プリンタ）側で起動済みであるかの判定（Ｓ９０４）を実施する。
【０１５３】
起動済みの場合は、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｅｄ（稼働中）をセット（Ｓ９０６）する。
【０１５４】
本実施形態では、起動済みでないため、ＤＬＮＡ  Ｐｒｉｎｔｉｎｇを用いたＰｒｉｎｔｉｎｇサービスの起動を開始すると共に、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｉｎｇ（起動中）をセット（Ｓ９０５）する。
【０１５５】
次に、プリンタ１０２は、自装置内の無線ＬＡＮ通信部３０８が、既に無線ＬＡＮ通信路を設定済みであるか否かの判定（Ｓ９０７）を行う。
【０１５６】
本実施形態では設定済みでないと共に、受信した前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）内に格納されている、
“ＣＡＲＲＩＥＲ＿ＤＡＴＡ＿ＲＥＦＥＲＥＮＣＥ”（Ｒ１５０４）のインデックスで指定されるエリアに無線ＬＡＮ設定情報の実体が存在しないので、
自装置に格納しているデフォルト接続先である無線ＬＡＮ  ＡＰ１０３に接続する際の無線ＬＡＮ設定情報を、自装置の無線ＬＡＮ通信路の新規接続先として設定すると共に、相手装置に通知する接続先無線ＬＡＮ設定情報としてセット（Ｓ９０９）する。
【０１５７】
設定済みの場合には、前記新規接続先への無線ＬＡＮ通信路の設定（Ｓ９０９）を実施し、前記実行中のサービスがある場合には、現在設定済みの通信路で対向のデジカメ１０１と通信可能であるかの判定（Ｓ９０８）を行う。
【０１５８】
前記通信可能であるかの判定方法としては、本実施形態では、前記無線ＬＡＮ設定情報の付加パラメータとして対向機器から通知されるＭＡＣアドレスを用いた、自装置内のＡＲＰテーブルの登録状態の確認や、通知されるＵＵＩＤを用いた既存無線ＬＡＮ通信路に対してのサービスディスカバリ処理を用いる。
【０１５９】
前記判定の結果対向機器と通信可能であると判定された場合には、既存の無線ＬＡＮ通信路の接続先として設定（Ｓ９１０）し、通信可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１２０３）後、本案のプリンタ１０２の制御処理工程を終了する。
【０１６０】
前記新規無線ＬＡＮ通信路の設定（Ｓ９０９）の完了、既存無線ＬＡＮ通信路での通信か可能であることが確認（Ｓ９０８、Ｓ９１０）された場合、相手機器への論理アドレスの割当ての可否を判定（Ｓ９１１）する。
【０１６１】
前記論理アドレスの割当ての可否を判定方法としては、本実施形態では、前記無線ＬＡＮ上でのＤＨＣＰサーバの稼働の有無や、無線ＬＡＮ通信路の設定種別（Ｗｉ−Ｆｉ  Ｄｉｒｅｃｔ  ＮＦＣ、Ｗｉ−Ｆｉ  Ｐｒｏｔｅｃｔｅｄ  Ｓｅｔｕｐ  ＮＦＣであるか等）を判断基準に用いる。
【０１６２】
本実施形態では、デフォルト接続先に設定されている無線ＬＡＮ  ＡＰ１０３への接続であり、前記無線ＬＡＮ  ＡＰがＩＰアドレス割当制御部７３０を具備していることを認識しているため、前記論理アドレスの割当て否と判定し、直ちに成功（サービスが実行可能である旨を通知する）のステータスをセットしたサービス開始応答メッセージ（Ｍ１４０２）を前記デジタルカメラ１０１に返送（Ｓ９１３、Ｓ１１０３）する。
【０１６３】
その後、該当する無線ＬＡＮＳＴＡモードでの起動（Ｓ１２０４）と、無線ＬＡＮ通信路の接続設定（Ｓ１２０５）、ＩＰアドレッシング（Ｓ１２０６）とサービスの起動（Ｓ１１０７）の実施を指示した後本案のプリンタ１０２の制御処理工程を終了する。
【０１６４】
次にデジタルカメラ１０１は、前記サービス応答メッセージ（Ｍ１４０２）を受信（Ｓ８０５、Ｓ１２０３）した後、前記サービス応答メッセージの成功／失敗ステータスに従って、サービスの実施可否を判定（Ｓ８０６）する。
【０１６５】
次にデジタルカメラ１０１は、前記サービス応答メッセージ（Ｍ１４０２）を受信（Ｓ８０５、Ｓ１２０３）した後、前記サービス応答メッセージの成功／失敗ステータスに従って、サービスの実施可否を判定（Ｓ８０６）する。
【０１６６】
失敗ステータスを受け取った場合は、本案デジタルカメラ１０１の制御処理工程を終了する。
【０１６７】
成功ステータスを受け取った場合には、無線ＬＡＮ通信路接続先変更の要否の判定（Ｓ８０７）を行う。
【０１６８】
本実施形態でも、前記成功ステータスの受信時点では無線ＬＡＮ通信路接続は実施されていないので、前記サービス応答メッセージ内の無線ＬＡＮ設定情報に従ってデジタルカメラ１０１がＳＴＡモードで起動（Ｓ１２０４）する。
【０１６９】
次に、無線ＬＡＮ接続で利用する論理アドレス情報の通知の有無の確認（Ｓ８０９）を行う。
【０１７０】
本実施形態においては、デジタルカメラ１０１側が指定した論理アドレス体系で、且つ自装置に割り当てられたアドレスと異なる論理アドレスを、プリンタのアドレスと通知されていないので、論理アドレスの通知なしと判定し、無線ＬＡＮ通信設定後の論理アドレッシング制御によって論理アドレスを入手するためのサービス（ＤＨＣＰクライアント、ＡＵＴＯＩＰ等）の起動を行う。
【０１７１】
上記処理を行って後、本案デジタルカメラ１０１の制御処理工程を終了する。
【０１７２】
本実施形態では、前記デジタルカメラ１０１がＳＴＡモードで起動（Ｓ１１０４）、前記プリンタ１０２がＳＴＡモードで起動（Ｓ１２０４）して無線ＬＡＮ  ＡＰ１０３を介した無線ＬＡＮ通信路が設定（Ｓ１２０５）、ＩＰアドレッシング（Ｓ１２０６）された後、プリンタ１０２側のトリガで「ＤＬＮＡ  Ｐｒｉｎｔｉｎｇ」サービス（Ｓ１２０７〜Ｓ１２１１）が実行される。
【０１７３】
尚、上記実施形態でも、デジタルカメラ１０１からプリンタ１０２に送信するサービス開始要求メッセージには１つの無線ＬＡＮ通信路設定情報のみを含んでいるが、本発明はこれを制限するものでは無く、複数の設定情報が含まれても構わない。
【０１７４】
また、プリンタ１０２側に無線ＬＡＮ通信路の設定情報を確定して欲しい場合には、前記サービス開始要求メッセージに、無線ＬＡＮ通信路の設定情報を含めず（ＮＵＬＬ情報を設定しても良い）に送信しても構わない。
【０１７５】
これらの場合も、実際の接続に利用する無線ＬＡＮ通信路の設定情報は、プリンタ１０２からデジタルカメラ１０１に返送するサービス開始応答メッセージを用いて通知され、装置間で共有するので、無線ＬＡＮ通信路と論理アドレスの設定出来る。
【０１７６】
以上説明したように、本案制御方式を用いれば、サービス開始要求メッセージにサービスを実行する無線ＬＡＮ通信路用の設定情報を付加するので、ハンドオーバ先の通信路の設定情報を共有することができる。
【０１７７】
また、サービス開始要求メッセージ、サービス応答メッセージの双方に該当するサービスを実行するための機器内の機能ブロックの稼働状況を付加して通知するので、サービス実行の可否、開始までの待ち時間の有無等の情報を共有出来る。
【０１７８】
更に、前記機器内の機能ブロックの稼働状況として、機器の動作電力のモードの情報（省電力モード、バッテリモード、商用電力モード等）の情報を共有しても、同様にサービス実行の可否、開始までの待ち時間の有無等の情報を共有出来る。
【０１７９】
本実施形態では、本案の制御方式を利用すれば、「ＤＬＮＡ  Ｐｒｉｎｔｉｎｇ」サービスが実現可能なことが確認できた際に、利用する無線ＬＡＮやＢｌｕｅｔｏｏｔｈ（登録商標）へのハンドオーバし、「ＤＬＮＡ  Ｐｒｉｎｔｉｎｇ」サービスを実行することができる。
【０１８０】
（第四の実施形態）
図８、図９のフローチャートと、図１３のシーケンスチャートを参照して、第一の実施形態におけるデジタルカメラ１０１およびプリンタ１０２間で、無線ＬＡＮ  ＡＰ１０３を介した既存の無線ＬＡＮインフラストラクチャ通信路（Ｓ１３００）を介した「ＤＬＮＡ  Ｐｒｉｎｔｉｎｇ」動作手順について説明する。
【０１８１】
本実施形態のデジタルカメラ１０１は、既に起動済みのサービスとして、ＤＬＮＡを用いたＰｒｉｎｔｉｎｇサービスが選択（Ｓ１３０１）されている。
【０１８２】
次に、前記デジタルカメラ１０１のサービス実行部５２０が、既に実行するサービスの決定の有無の確認（Ｓ８０２）を行う。
【０１８３】
未決定の場合は、既存のＮＦＣ  Ｆｏｒｕｍ規定のＣｏｎｎｅｃｔｉｏｎ  Ｈａｎｄｏｖｅｒ規格の制御を行うためにハンドオーバリクエストメッセージ（Ｍ１５０１）を送信後、本案のデジタルカメラ１０１の制御処理工程を終了し、前記既存の制御を実施する。
【０１８４】
本実施形態においては、前記起動済みのサービスとして、ＤＬＮＡを用いたＰｒｉｎｔｉｎｇサービスが起動している（Ｓ１３０１）ので、実行対象のサービスのステータス（サービス種別、利用するサービスの名、サービス実行対象オブジェクトの参照先情報、サービスを実施するための機能ブロックの稼働状態等）を、前記サービス開始要求メッセージ（Ｍ１４０１）を構成する各レコードの該当箇所にステータス情報としてセットする（Ｓ８０３）。
【０１８５】
本実施形態では、実施するステータスの例としては
サービス種別：Ｐｒｉｎｔｉｎｇ、利用サービス名：ＤＬＮＡ  Ｐｒｉｎｔｉｎｇ
サービス実行対象オブジェクト：ｈｔｔｐ：／／ｘｘｘｘ−ｙｙｙｙ−ｚｚ／Ｐｒｉｎｔ＿ｏｒｄｅｒがセットされると共に、
前記“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｅｄ（起動済）をセットしている。
【０１８６】
また、前記サービスを実施する無線ＬＡＮ通信路の設定情報として、要求元のデジタルカメラ１０１が無線ＬＡＮのＳＴＡモード動作のみを指定し、無線接続ＬＡＮ通信路用の接続情報は、既存の接続先である無線ＬＡＮ  ＡＰ１０３の接続の情報を前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）に格納している。
【０１８７】
また、前記サービスを実施する無線ＬＡＮ通信路の設定情報として、要求元のデジタルカメラ１０１が無線ＬＡＮのＳＴＡモードで動作する接続形態で、現状の自装置に付与されているＩＰアドレスを要望アドレスとして利用したい旨も前記“ＡＬＴＥＲＮＡＴＩＶＥ＿ＳＥＲＶＩＣＥ＿ＲＥＣＯＲＤ”（Ｒ１４０３）内の“ＡＵＸＩＬＡＲＹ＿ＤＡＴＡ＿ＲＥＦＥＲＥＮＣＥ”（Ｒ１４０５）に格納している。
【０１８８】
前記ステータス情報のセット完了後、前記デジタルカメラ１０１のＮＦＣ通信制御部５２０は、前記サービス開始要求メッセージ（Ｍ１４０１）をプリンタ１０２に対して送信（Ｓ８０４、Ｓ１３０３）する。
【０１８９】
次に、前記前記サービス開始要求メッセージ（Ｍ１４０１）を受信（Ｓ９０２、Ｓ１３０３）したプリンタ１０２は、当該メッセージにて指定されたサービス、本実施形態ではＤＬＮＡ  Ｐｒｉｎｔｉｎｇを用いたＰｒｉｎｔｉｎｇサービスが実行可能かの判定（Ｓ９０３）を行う。
【０１９０】
実行可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１３０４）後、本案のプリンタの制御処理工程を終了する。
【０１９１】
本実施形態では、実行可能であると判定されるので、前記指定されたサービス、本実施形態ではＤＬＮＡ  Ｐｒｉｎｔｉｎｇ用いたＰｒｉｎｔｉｎｇサービスが、自装置（プリンタ）側で起動済みであるかの判定（Ｓ９０４）を実施する。
【０１９２】
本実施形態においては、ＤＬＮＡ  Ｐｒｉｎｔｉｎｇサービスを司るＤＭＳ（Ｄｉｇｉｔａｌ  Ｍｅｄｉａ  Ｓｅｒｖｅｒ）が起動済みなので、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｅｄ（稼働中）をセット（Ｓ９０６）する。
【０１９３】
起動済みでないならば、ＤＬＮＡ  Ｐｒｉｎｔｉｎｇを用いたＰｒｉｎｔｉｎｇサービスの起動を開始すると共に、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されているＳＡＳ（Ｓｅｒｖｉｃｅ  Ａｃｔｉｖｅ  Ｓｔａｔｕｓ）にＡｃｔｉｖａｔｉｎｇ（起動中）をセット（Ｓ９０５）する。
【０１９４】
次に、プリンタ１０２は、自装置内の無線ＬＡＮ通信部３０８が、既に無線ＬＡＮ通信路を設定済みであるか否かの判定（Ｓ９０７）を行う。
【０１９５】
本実施形態では設定済みであるので、前記設定済みの無線ＬＡＮ  ＡＰ１０３を介した無線ＬＡＮ通信路を介して、対向機器であるデジタルカメラ１０１との通信が可能であるか否かの判定（Ｓ９０８）を行う。
【０１９６】
前記通信可能であるかの判定方法としては、本実施形態では、前記無線ＬＡＮ設定情報の付加パラメータとして対向機器から通知されるＭＡＣアドレスを用いた、自装置内のＡＲＰテーブルの登録状態の確認や、通知されるＵＵＩＤを用いた既存無線ＬＡＮ通信路に対してのサービスディスカバリ処理を用いる。
【０１９７】
前記判定の結果対向機器と通信可能であると判定された場合には、既存の無線ＬＡＮ通信路の接続先として設定（Ｓ９１０）し、通信可能でないと判定された場合には、失敗（サービスが実行不可能である旨を通知する）のステータスをセットしたサービス開始応答メッセージ（Ｍ１４０２）を前記デジタルカメラ１０１に返送（Ｓ９１４、Ｓ１３０４）後、本案のプリンタ１０２の制御処理工程を終了する。
【０１９８】
前記新規無線ＬＡＮ通信路の設定（Ｓ９０９）の完了、既存無線ＬＡＮ通信路での通信か可能であることが確認（Ｓ９０８、Ｓ９１０）された場合、相手機器への論理アドレスの割当ての可否を判定（Ｓ９１１）する。
【０１９９】
前記論理アドレスの割当ての可否を判定方法としては、本実施形態では、前記無線ＬＡＮ上でのＤＨＣＰサーバの稼働の有無や、無線ＬＡＮ通信路の設定種別（Ｗｉ−Ｆｉ  Ｄｉｒｅｃｔ  ＮＦＣ、Ｗｉ−Ｆｉ  Ｐｒｏｔｅｃｔｅｄ  Ｓｅｔｕｐ  ＮＦＣであるか等）を判断基準に用いる。
【０２００】
本実施形態では、既に接続双方が接続中の無線ＬＡＮ  ＡＰ１０３の形成する無線ＬＡＮ通信路を用いたサービスであり、既に相手機器の論理アドレスを認識しているため、前記論理アドレスの割当て可と判定する。
【０２０１】
このため、前記サービス開始応答メッセージ（Ｍ１４０２）内の“ＡＬＴＥＲＮＡＴＩＶＥ＿ＳＥＲＶＩＣＥ＿ＲＥＣＯＲＤ”（Ｒ１４０３）内に定義されている“ＡＵＸＩＡＲＹ＿ＤＡＴＡ＿ＲＥＦＥＲＥＮＣＥ”に付与ＩＰアドレス、自装置ＩＰアドレス等の論理アドレス情報を、ＮＤＥＦペイロードと併せてセット（Ｓ９１２）する。
【０２０２】
本実施形態は、デジタルカメラ１０１、プリンタ１０２の双方が同一の無線ＬＡＮ  ＡＰ１０３に接続済み、かつＩＰアドレスを設定済みであるため前記割当て可と判定し、割当て用論理アドレス情報はセットせず、自装置に現在割当て済みのＩＰアドレス（１９２．１６８．０．ｙｙ）をセット（Ｓ９１２）する。
【０２０３】
この後に成功（サービスが実行可能である旨を通知する）のステータスをセットしたサービス開始応答メッセージ（Ｍ１４０２）を前記デジタルカメラ１０１に返送（Ｓ９１３、Ｓ１３０４）する。
【０２０４】
その後、サービスの起動（Ｓ１３０５）の実施を指示した後本案のプリンタ１０２の制御処理工程を終了する。
【０２０５】
次にデジタルカメラ１０１は、前記サービス応答メッセージ（Ｍ１４０２）を受信（Ｓ８０５、Ｓ１３０３）した後、前記サービス応答メッセージの成功／失敗ステータスに従って、サービスの実施可否を判定（Ｓ８０６）する。
【０２０６】
次にデジタルカメラ１０１は、前記サービス応答メッセージ（Ｍ１４０２）を受信（Ｓ８０５、Ｓ１３０４）した後、前記サービス応答メッセージの成功／失敗ステータスに従って、サービスの実施可否を判定（Ｓ８０６）する。
【０２０７】
失敗ステータスを受け取った場合は、本案デジタルカメラ１０１の制御処理工程を終了する。
【０２０８】
本実施形態では成功ステータスを受け取ると共に、通知させる無線ＬＡＮの接続設定情報は、現在接続中の情報と同一の情報なので、前記サービス応答メッセージ内の無線ＬＡＮ設定情報に従った設定の変更は行わない（Ｓ８０７）。
【０２０９】
次に、無線ＬＡＮ接続で利用する論理アドレス情報の通知の有無の確認（Ｓ８０９）を行う。
【０２１０】
本実施形態においては、デジタルカメラ１０１、プリンタが既に利用中の論理アドレス体系で、対向機器のアドレス情報が通知されると共に、自機へのアドレス割当て情報が存在しないので、現接続先で入手済みの論理アドレスを利用（Ｓ８０９、Ｓ８１１）する。
【０２１１】
上記処理を行って後、本案デジタルカメラ１０１の制御処理工程を終了する。
【０２１２】
本実施形態では、前記デジタルカメラ１０１と前記プリンタ１０２が、前記無線ＬＡＮ  ＡＰ１０３にＳＴＡモードで接続中（Ｓ１３００）なので、プリンタ１０２側での「ＤＬＮＡ  Ｐｒｉｎｔｉｎｇ」サービスの起動を契機にサービスが（Ｓ１３０５〜Ｓ１３０８）が実行される。
【０２１３】
尚、上記実施形態でも、デジタルカメラ１０１からプリンタ１０２に送信するサービス開始要求メッセージには１つの無線ＬＡＮ通信路設定情報のみを含んでいるが、本発明はこれを制限するものでは無く、複数の設定情報が含まれても構わない。
【０２１４】
また、プリンタ１０２側に無線ＬＡＮ通信路の設定情報を確定して欲しい場合には、前記サービス開始要求メッセージに、無線ＬＡＮ通信路の設定情報を含めず（ＮＵＬＬ情報を設定しても良い）に送信しても構わない。
【０２１５】
これらの場合も、実際の接続に利用する無線ＬＡＮ通信路の設定情報は、プリンタ１０２からデジタルカメラ１０１に返送するサービス開始応答メッセージを用いて通知され、装置間で共有するので、無線ＬＡＮ通信路と論理アドレスの設定出来る。
【０２１６】
以上説明したように、本案制御方式を用いれば、サービス開始要求メッセージにサービスを実行する無線ＬＡＮ通信路用の設定情報を付加するので、ハンドオーバ先の通信路の設定情報を共有することができる。
【０２１７】
また、サービス開始要求メッセージ、サービス応答メッセージの双方に該当するサービスを実行するための機器内の機能ブロックの稼働状況を付加して通知するので、サービス実行の可否、開始までの待ち時間の有無等の情報を共有出来る。
【０２１８】
更に、前記機器内の機能ブロックの稼働状況として、機器の動作電力のモードの情報（省電力モード、バッテリモード、商用電力モード等）の情報を共有しても、同様にサービス実行の可否、開始までの待ち時間の有無等の情報を共有出来る。
【０２１９】
本実施形態では、本案の制御方式を利用すれば、「ＤＬＮＡ  Ｐｒｉｎｔｉｎｇ」サービスが実現可能なことが確認できた際に、利用する無線ＬＡＮやＢｌｕｅｔｏｏｔｈ（登録商標）へのハンドオーバし、「ＤＬＮＡ  Ｐｒｉｎｔｉｎｇ」サービスを実行することができる。
【０２２０】
（その他の実施例）
また、前述の実施形態１〜４では、ＮＦＣのタッチを契機に、実行する機器連係サービスが利用する無線通信媒体に無線ＬＡＮ通信媒体を用いて、サービス起動と無線ＬＡＮ通信路の接続設定を同時に実施する例を説明したが、
複数の無線通信媒体を同時にサポートする機器同士で、単一の無線通信媒体を利用してサービスの起動と他の無線媒体用の接続設定を同時に実施するユースケースに広く適用可能である。
【０２２１】
例えば、Ｂｌｕｅｔｏｏｔｈ（登録商標）を用いてサービスの起動指示と無線ＬＡＮの接続設定情報の通知を行うユースケー等へも適用可能である。
【０２２２】
尚、前述の実施形態１〜４のＮＦＣの通信モードは、デジタルカメラ１０１、プリンタ１０２共にＰ２Ｐ通信モードで動作した場合の双方向通信路を用いて、サービス開始要求メッセージ（Ｓ１００３、Ｓ１１０２、Ｓ１２０２、Ｓ１３０３）の送信、サービス開始応答メッセージの受信（Ｓ１００４、Ｓ１１０３、Ｓ１２０３、Ｓ１３０４）の受信によって各種設定情報、ステータスの共有を実施する例を示しているが、
ＮＦＣの通信モードとしては、一方がリーダライタモード、他方がカードエミュレーションモードで動作する、機器間での共有メモリアクセスを利用して、前記サービス開始要求メッセージ、前記サービス開始応答メッセージを構成する情報レコード（図１４、図１５）を読書きする手法をとっても情報の共有が可能である。
【０２２３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０２２４】
以上説明したように上述の実施形態における通信装置は、第１通信方式により他の通信装置と無線通信と第１通信方式と異なる第２通信方式により他の通信装置と無線通信を行う。そして、上述の実施形態における通信装置は、第２通信方式を用いて実行する他の通信装置とのサービスに関するサービス情報と、他の通信装置と通信が可能な第２通信方式の通信路を設定するための無線設定情報と、を第１通信方式を用いて共有する。
【図１】
2015095828.tif 000003
【図２】
2015095828.tif 000004
【図３】
2015095828.tif 000005
【図４】
2015095828.tif 000006
【図５】
2015095828.tif 000007
【図６】
2015095828.tif 000008
【図７】
2015095828.tif 000009
【図８】
2015095828.tif 000010
【図９】
2015095828.tif 000011
【図１０】
2015095828.tif 000012
【図１１】
2015095828.tif 000013
【図１２】
2015095828.tif 000014
【図１３】
2015095828.tif 000015
【図１４】
2015095828.tif 000016
【図１５】
2015095828.tif 000017